(57)【要約】  機器（１０）は、Ｎ個の通信モジュール（１０１Ａ、１０１Ｂ、１０１Ｃ）と、一の通信モジュールを選択する選択部（１０３）と、電波の受信強度を取得する取得部（１０４）と、基準位置から一の向きに数えて少なくとも２個ずつの表示領域が、Ｎ個の通信モジュールに、通信速度が遅い方から順に対応付けられている、少なくとも２Ｎ個の表示領域を有する画像を生成する生成部（１０５）と、画像を表示する表示部（１０６）を備え、生成部（１０５）は、上記一の通信モジュールに対応付けられた少なくとも２個の表示領域のうち、上記一の通信モジュールの受信強度が大きいほど、上記基準位置に近い方から上記一の向きに数えてより多くの表示領域に第一種の図形が表示されていて、上記一の通信モジュールより通信速度が遅い通信モジュールに対応付けられた少なくとも２個の表示領域それぞれに第一種の図形が表示されている、画像を生成する。
2019172045.tif 000002
【特許請求の範囲】
【請求項１】
機器であって、
互いに通信速度が異なる無線通信をするＮ個（Ｎ≧２）の通信モジュールと、
前記Ｎ個の通信モジュールのうち前記機器による通信に使用される一の通信モジュールを選択する選択部と、
前記一の通信モジュールが基地局から受信する電波の受信強度を取得する取得部と、
基準位置から一の向きに並んでいる少なくとも２Ｎ個の表示領域であって、前記少なくとも２Ｎ個の表示領域のうちの前記基準位置から前記一の向きに数えて少なくとも２個ずつの表示領域が、前記Ｎ個の通信モジュールに、通信速度が遅い方から順に対応付けられている、少なくとも２Ｎ個の表示領域を有する画像を生成する生成部と、
前記生成部が生成した前記画像を表示する表示部を備え、
前記生成部は、前記画像として、
（ａ）前記一の通信モジュールに対応付けられた少なくとも２個の表示領域のうち、前記一の通信モジュールの受信強度が大きいほど、前記基準位置に近い方から前記一の向きに数えてより多くの表示領域に第一種の図形が表示されていて、
（ｂ）前記一の通信モジュールより通信速度が遅い通信モジュールに対応付けられた少なくとも２個の表示領域それぞれに前記第一種の図形が表示されている、画像を生成する
機器。
【請求項２】
前記生成部は、
前記少なくとも２Ｎ個の表示領域それぞれと、当該表示領域に表示する図形の寸法として、前記一の向きに進むほどより大きな寸法を予め対応付けて保有していて、
前記画像として、前記画像に含まれる１以上の前記第一種の図形のそれぞれが、当該第一種の図形が表示されている表示領域に予め対応付けられた寸法を有する、画像を生成する
請求項１に記載の機器。
【請求項３】
前記生成部は、前記画像として、
前記少なくとも２Ｎ個の表示領域のうち、前記第一種の図形が表示されていない表示領域に第二種の図形が表示されている、画像を生成する
請求項１又は２に記載の機器。
【請求項４】
前記生成部は、前記画像として、
前記Ｎ個の通信モジュールそれぞれに関する文字が、当該通信モジュールに対応付けられている表示領域の近傍に表示されていて、
前記一の通信モジュールに関する文字が、前記Ｎ個の通信モジュールのうちの他の通信モジュールに関する文字とは異なる態様で表示されている、画像を生成する
請求項１〜３のいずれか１項に記載の機器。
【請求項５】
前記生成部は、前記画像として、
前記一の通信モジュールの名称を示す文字が、前記Ｎ個の通信モジュールのうちの他の通信モジュールの名称を示す文字の色より濃い色で表示されている、画像を生成する
請求項４に記載の機器。
【請求項６】
互いに通信速度が異なるＮ個（Ｎ≧２）の通信モジュールを備える機器が実行する方法であって、
前記Ｎ個の通信モジュールのうち前記機器による通信に使用される一の通信モジュールを選択する選択ステップと、
前記一の通信モジュールが基地局から受信する電波の受信強度を取得する取得ステップと、
基準位置から一の向きに並んでいる少なくとも２Ｎ個の表示領域であって、前記少なくとも２Ｎ個の表示領域のうちの前記基準位置から前記一の向きに数えて少なくとも２個ずつの表示領域が、前記Ｎ個の通信モジュールに、通信速度が遅い方から順に対応付けられている表示領域を有する画像を生成する生成ステップと、
前記生成ステップで生成した前記画像を表示する表示ステップとを含み、
前記生成ステップでは、前記画像として、
（ａ）前記一の通信モジュールに対応付けられた少なくとも２個の表示領域のうち、前記一の通信モジュールの受信強度が大きいほど、前記基準位置に近い方から前記一の向きに数えてより多くの表示領域に図形が表示されていて、
（ｂ）前記一の通信モジュールより通信速度が遅い通信モジュールに対応付けられた少なくとも２個の表示領域それぞれに図形が表示されている、画像を生成する
方法。
【発明の詳細な説明】
【技術分野】
【０００１】
本開示は、機器、及び、方法に関する。
【背景技術】
【０００２】
近年、生活家電（機器ともいう）が、当該機器を制御するクラウドである家電制御クラウド（制御クラウドともいう）にネットワークを介して接続され、制御クラウドによる制御の下で動作する形態がある（特許文献１参照）。【０００３】
一方、携帯電話端末又はスマートフォンなどの情報端末では、複数の無線通信モジュール（単に通信モジュールともいう）を備える製品がある。
【先行技術文献】
【特許文献】
【０００４】
【特許文献１】特開２０１６−６３５２０号公報
【発明の概要】
【発明が解決しようとする課題】
【０００５】
機器が複数の通信モジュールを備える場合、各通信モジュールの電波状況を示す表示を単に並べて表示するだけでは、機器がどの通信モジュールを使用して通信するのが適切であるのか、ユーザにわかりにくいという問題がある。ユーザが適切な通信モジュールを選択できなければ、適切な通信モジュールを選択した場合より電波の送信時間が長くなったり、消費電力が大きくなったりするという問題がある。【０００６】
そこで、本開示は、複数の無線通信モジュールのうちの通信に適切な無線通信モジュールを表示し得る機器などを提供する。
【課題を解決するための手段】
【０００７】
本開示における機器は、機器であって、互いに通信速度が異なる無線通信をするＮ個（Ｎ≧２）の通信モジュールと、前記Ｎ個の通信モジュールのうち前記機器による通信に使用される一の通信モジュールを選択する選択部と、前記一の通信モジュールが基地局から受信する電波の受信強度を取得する取得部と、基準位置から一の向きに並んでいる少なくとも２Ｎ個の表示領域であって、前記少なくとも２Ｎ個の表示領域のうちの前記基準位置から前記一の向きに数えて少なくとも２個ずつの表示領域が、前記Ｎ個の通信モジュールに、通信速度が遅い方から順に対応付けられている、少なくとも２Ｎ個の表示領域を有する画像を生成する生成部と、前記生成部が生成した前記画像を表示する表示部を備え、前記生成部は、前記画像として、（ａ）前記一の通信モジュールに対応付けられた少なくとも２個の表示領域のうち、前記一の通信モジュールの受信強度が大きいほど、前記基準位置に近い方から前記一の向きに数えてより多くの表示領域に第一種の図形が表示されていて、（ｂ）前記一の通信モジュールより通信速度が遅い通信モジュールに対応付けられた少なくとも２個の表示領域それぞれに前記第一種の図形が表示されている、画像を生成する。【０００８】
これによれば、機器は、複数の通信モジュールの通信速度をユーザに直感的に理解され得る態様で示し、かつ、機器が無線通信に現在使用している通信モジュールの電波の受信強度を示す画像を表示する。また、この画像において、複数の図形（第一種の図形）が並んで表示されているので、ユーザは、これらの複数の図形をひとまとまりの図形と認識し得る。ユーザは、機器に表示されたひとまとまりの図形を視認し、視認した図形に基づいて、複数の通信モジュールの通信速度と、現在使用している通信モジュールとを直感的に理解することができる。このようにして、機器は、複数の無線通信モジュールのうちの通信に適切な無線通信モジュールを表示し得る。そして、ユーザによる操作などに基づいて適切な通信モジュールが選択されれば、電波の送信時間の短縮化、又は、消費電力の低減の効果をも奏し得る。【０００９】
また、前記生成部は、前記少なくとも２Ｎ個の表示領域それぞれと、当該表示領域に表示する図形の寸法として、前記一の向きに進むほどより大きな寸法を予め対応付けて保有していて、前記画像として、前記画像に含まれる１以上の前記第一種の図形のそれぞれが、当該第一種の図形が表示されている表示領域に予め対応付けられた寸法を有する、画像を生成してもよい。【００１０】
これによれば、機器は、通信速度が速い通信モジュールほど、大きな寸法の図形により通信速度が示される。ユーザは、より大きな寸法の図形が、より通信速度が速い通信モジュールを示していると自然に認識することができる。このようにして、機器は、複数の無線通信モジュールのうちの通信に適切な無線通信モジュールを表示し得る。【００１１】
また、前記生成部は、前記画像として、前記少なくとも２Ｎ個の表示領域のうち、前記第一種の図形が表示されていない表示領域に第二種の図形が表示されている、画像を生成してもよい。【００１２】
これによれば、機器は、少なくとも２Ｎ個の表示領域に第一種の図形か、第二種の図形かのどちらかが表示された画像を表示する。ユーザは、使用中の通信モジュールがどれであるかによらずに、又は、使用中の通信モジュールの受信強度の大きさによらずに、表示された画像をひとまとまりの図形であると、より一層容易に認識できる。このようにして、機器は、複数の無線通信モジュールのうちの通信に適切な無線通信モジュールを表示し得る。【００１３】
また、前記生成部は、前記画像として、前記Ｎ個の通信モジュールそれぞれに関する文字が、当該通信モジュールに対応付けられている表示領域の近傍に表示されていて、前記一の通信モジュールに関する文字が、前記Ｎ個の通信モジュールのうちの他の通信モジュールに関する文字とは異なる態様で表示されている、画像を生成してもよい。【００１４】
これによれば、機器は、使用している通信モジュールの名称など、当該通信モジュールに関する情報を、それ以外の通信モジュールに関する情報と異なる態様で表示する。これにより、ユーザは、機器が表示する図形から、通信モジュールに関する情報を容易に認識することができる。このようにして、機器は、複数の無線通信モジュールのうちの通信に適切な無線通信モジュールを表示し得る。【００１５】
また、前記生成部は、前記画像として、前記一の通信モジュールの名称を示す文字が、前記Ｎ個の通信モジュールのうちの他の通信モジュールの名称を示す文字の色より濃い色で表示されている、画像を生成してもよい。【００１６】
これによれば、機器は、使用している通信モジュールの名称を、それ以外の通信モジュールの名称と異なる態様で表示する。これにより、ユーザは、機器が現在使用している通信モジュールを他と区別して、より一層容易に、認識することができる。このようにして、機器は、複数の無線通信モジュールのうちの通信に適切な無線通信モジュールを表示し得る。【００１７】
また、本開示における制御方法は、互いに通信速度が異なるＮ個（Ｎ≧２）の通信モジュールを備える機器が実行する方法であって、前記Ｎ個の通信モジュールのうち前記機器による通信に使用される一の通信モジュールを選択する選択ステップと、前記一の通信モジュールが基地局から受信する電波の受信強度を取得する取得ステップと、基準位置から一の向きに並んでいる少なくとも２Ｎ個の表示領域であって、前記少なくとも２Ｎ個の表示領域のうちの前記基準位置から前記一の向きに数えて少なくとも２個ずつの表示領域が、前記Ｎ個の通信モジュールに、通信速度が遅い方から順に対応付けられている表示領域を有する画像を生成する生成ステップと、前記生成ステップで生成した前記画像を表示する表示ステップとを含み、前記生成ステップでは、前記画像として、（ａ）前記一の通信モジュールに対応付けられた少なくとも２個の表示領域のうち、前記一の通信モジュールの受信強度が大きいほど、前記基準位置に近い方から前記一の向きに数えてより多くの表示領域に図形が表示されていて、（ｂ）前記一の通信モジュールより通信速度が遅い通信モジュールに対応付けられた少なくとも２個の表示領域それぞれに図形が表示されている、画像を生成する。【００１８】
これにより、上記機器と同様の効果を奏する。
【発明の効果】
【００１９】
本開示の機器は、複数の無線通信モジュールのうちの通信に適切な無線通信モジュールを表示することができる。
【図面の簡単な説明】
【００２０】
【図１】図１は、複数の無線通信モジュールを備える機器を含む通信システムを示す説明図である。
【図２】図２は、実施の形態に係る機器の機能を示すブロック図である。
【図３】図３は、実施の形態に係る機器が表示する画像の一例を示す説明図である。
【図４】図４は、実施の形態に係る機器が表示する、受信強度を示す画像の第一例を示す説明図である。
【図５】図５は、実施の形態に係る機器が表示する、受信強度を示す画像の第二例を示す説明図である。
【図６】図６は、実施の形態に係る機器が表示する、受信強度を示す画像の第三例を示す説明図である。
【図７】図７は、実施の形態に係る機器が表示する、受信強度を示す画像の第四例を示す説明図である。
【図８】図８は、実施の形態に係る機器が表示する、受信強度を示す画像の第四例を示す説明図である。
【図９】図９は、比較例に係る機器が表示する、受信強度を示す画像を示す説明図である。
【図１０】図１０は、本実施の形態に係る機器が実行する処理を示すフロー図である。
【発明を実施するための形態】
【００２１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２２】
なお、発明者（ら）は、当業者が本開示を十分に理解するために添付図面および以下の説明を提供するのであって、これらによって請求の範囲に記載の主題を限定することを意図するものではない。
【００２３】
（実施の形態）
本実施の形態において、複数の無線通信モジュールのうちの通信に適切な無線通信モジュールを表示し得る機器について説明する。
【００２４】
図１は、複数の無線通信モジュールを備える機器１０を含む通信システムを示す説明図である。
【００２５】
図１に示される通信システムは、機器１０と、機器１０を制御するサーバ２０とを備える。機器１０は、ネットワークＭを介してサーバ２０と通信可能である。機器１０は、ネットワークＭを介してサーバから通信パケットを受信し、受信した通信パケットに含まれる制御情報に係る制御を受けて動作する。
【００２６】
機器１０は、複数の通信モジュールとして３つの通信モジュールを備える。なお、複数の通信モジュールは、２以上であればいくつであってもよい。
【００２７】
機器１０が備える３つの通信モジュールは、例えば、Ｗｉ−Ｆｉ（登録商標）、キャリア系ＬＰＷＡ（Ｌｏｗ  Ｐｏｗｅｒ，  Ｗｉｄｅ  Ａｒｅａ）、及び、ノンキャリア系ＬＰＷＡそれぞれの通信モジュールであり、この場合を例として説明するが、これに限定されない。これらの通信モジュールの通信速度および通信帯域については、ノンキャリア系ＬＰＷＡ、キャリア系ＬＰＷＡ、Ｗｉ−Ｆｉの順に大きくなる。
【００２８】
Ｗｉ−Ｆｉの通信モジュールは、Ｗｉ−Ｆｉ基地局に接続されていて、Ｗｉ−Ｆｉ基地局及び通信事業者のアクセスネットワークを介してサーバ２０に接続されている。通信事業者のアクセスネットワークは、ネットワークＭに含まれている。なお、図面上、Ｗｉ−ＡＰは、宅内に配置されているが、宅外に配置されてもよい。
【００２９】
キャリア系ＬＰＷＡの通信モジュールは、キャリア系ＬＰＷＡ基地局に接続されていて、キャリア系ＬＰＷＡ基地局、及び、キャリアのアクセスネットワークを介してサーバ２０に接続されている。キャリアのアクセスネットワークは、ネットワークＭに含まれている。
【００３０】
ノンキャリア系ＬＰＷＡの通信モジュールは、ノンキャリア系ＬＰＷＡ基地局に接続されていて、ノンキャリア系ＬＰＷＡ基地局、及び、ノンキャリア系ＬＰＷＡ基地局を提供する事業者のアクセスネットワークを介してサーバ２０に接続されている。上記事業者のアクセスネットワークは、ネットワークＭに含まれている。
【００３１】
図２は、本実施の形態に係る機器１０の機能を示すブロック図である。
【００３２】
図２に示されるように、機器１０は、複数の通信モジュール１０１Ａ、１０１Ｂ及び１０１Ｃと、制御部１０２と、表示部１０６と、機能部１０７とを備える。
【００３３】
複数の通信モジュール１０１Ａ、１０１Ｂ及び１０１Ｃ（通信モジュール１０１Ａ等ともいう）は、それぞれ、ネットワークＭを介してサーバ２０と通信可能に接続され得る通信モジュールである。ここでは、複数の通信モジュールが３つの通信モジュールである場合を例として説明するが、通信モジュールの個数は３に限られず、２以上であればいくつであってもよい。通信モジュールの個数をＮともいう（ただしＮは２以上の整数）。ここでは、複数の通信モジュール１０１Ａ、１０１Ｂ及び１０１Ｃがそれぞれ、Ｗｉ−Ｆｉ、キャリア系ＬＰＷＡ、及び、ノンキャリア系ＬＰＷＡの通信モジュールであるとする。
【００３４】
制御部１０２は、通信モジュール１０１Ａ等が基地局から受信する電波の受信強度（一般に電波強度ともいう）を示す画像を生成する処理部である。制御部１０２による処理は、プロセッサが所定のプログラムを実行することでなされ得る。
【００３５】
制御部１０２は、詳細な要素として、選択部１０３と、取得部１０４と、生成部１０５とを有する。
【００３６】
選択部１０３は、Ｎ個の通信モジュールのうち機器１０による通信に使用される一の通信モジュールを選択する。原則として、機器１０は、Ｎ個の通信モジュールのうちの一の通信モジュールを用いてサーバ２０と通信する。機器１０がサーバ２０との通信に用いる一の通信モジュールは、例えば、当該通信モジュールからサーバ２０までの通信路の通信品質が比較的良い通信路、又は、通信路の通信帯域が比較的大きな通信路などが選択される。なお、Ｎ個の通信モジュールから一の通信モジュールを選択する選択方法は、通信品質又は通信帯域などに基づくさまざまな選択方法があり得る。この選択方法には、公知の技術が採用され得る。
【００３７】
取得部１０４は、選択部１０３が選択した一の通信モジュールが基地局から受信する電波の受信強度を取得する。なお、取得部１０４は、上記の取得の際に、上記一の通信モジュールを含む２以上の通信モジュールの受信強度を取得してもよいし、複数の通信モジュール１０１Ａ等のすべてについて受信強度を取得してもよい。
【００３８】
生成部１０５は、受信強度を表現する画像を生成する。具体的には、生成部１０５は、基準位置から一の向きに並んでいる少なくとも２Ｎ個の表示領域であって、少なくとも２Ｎ個の表示領域のうちの基準位置から上記一の向きに数えて少なくとも２個ずつの表示領域が、Ｎ個の通信モジュールに、通信速度が遅い方から順に対応付けられている、少なくとも２Ｎ個の表示領域を有する画像を生成する。そして、生成部１０５は、上記画像として、（ａ）上記一の通信モジュールに対応付けられた少なくとも２個の表示領域のうち、上記一の通信モジュールの受信強度が大きいほど、基準位置に近い方から上記一の向きに数えてより多くの表示領域に第一種の図形が表示されていて、（ｂ）上記一の通信モジュールより通信速度が遅い通信モジュールに対応付けられた少なくとも２個の表示領域それぞれに第一種の図形が表示されている、画像を生成する。ここで、第一種の図形は、当該第一種の図形が表示される位置に表現すべき受信強度があることを意味している。なお、上記の「表示領域」、「基準位置」及び「一の向き」は、実際に画像に表示されていてもよいし、表示されていなくてもよい。
【００３９】
また、生成部１０５は、上記画像として、少なくとも２Ｎ個の表示領域のうち、第一種の図形が表示されていない表示領域に第二種の図形が表示されている、画像を生成してもよい。ここで、第二種の図形は、当該第二種の図形が表示される位置に表現すべき受信強度がないことを意味している。なお第二種の図形を表示することは必須ではない。
【００４０】
第一種の図形と第二種の図形とは、その態様が互いに異なるものであればどのようなものであってもよい。例えば、第一種の図形が、内部を塗りつぶした多角形であり、第二種の図形が、内部を塗りつぶさない多角形であるとしてもよい。また、例えば、第一種の図形が、内部を比較的濃い色で塗りつぶした多角形であり、第二種の図形が、内部を比較的薄い色で塗りつぶした多角形であるとしてもよい。また、例えば、第一種の図形が、実線である多角形であり、第二種の図形が、破線又は点線である多角形であるとしてもよい。
【００４１】
また、生成部１０５は、機能部１０７の動作に関するさまざまな情報を示す画像を生成する。上記画像は、例えば、機能部１０７の動作の状態を示す画像、又は、機能部１０７に対する設定又は指示などをユーザから受け付けるためのアイコンの画像などを含む。
【００４２】
表示部１０６は、生成部１０５が生成した画像を表示画面に表示する処理部である。表示画面は、機器１０が備える表示画面である場合を例として説明するが、機器１０とは異なる他の機器が備える表示画面であってもよい。
【００４３】
表示部１０６は、生成部１０５が生成した画像を取得し、その画像を構成する画素を表示画面に表示させることによって画像を表示する。表示部１０６が他の機器が備える表示画面に画像を表示する場合、表示部１０６は、通信によって他の機器に画像を送信して表示させる。
【００４４】
機能部１０７は、機器１０が有する機能を発揮するモジュールである。例えば、機器１０が冷蔵庫である場合には、冷蔵機能を発揮するモジュールであり、より具体的には、冷却モジュール及びファンなどを含む。
【００４５】
図３は、本実施の形態に係る機器１０が表示する画像３０の一例を示す説明図である。
【００４６】
図３に示される画像３０は、メイン画像３１と、状態画像３２とを含む。
【００４７】
メイン画像３１は、機能部１０７の動作に関するさまざまな情報を示す画像である。
【００４８】
状態画像３２は、機器１０の状態などを示す画像である。状態画像３２は、複数の通信モジュールの受信強度を示す画像３３を含む。なお、状態画像３２は、上記の他にも、現在時刻を示す画像３４、及び、機器１０がバッテリを備えている場合にはバッテリ残量を示す画像（不図示）等を含んでもよい。
【００４９】
以降において、画像３３について、より詳しく説明する。
【００５０】
図４は、本実施の形態に係る機器１０が表示する、受信強度を示す画像３３の第一例を示す説明図である。図４に示される画像３３は、生成部１０５が生成し、また、表示部１０６が表示する画像の一例であり、３つの通信モジュール１０１Ａ等それぞれの受信強度を示す画像である。
【００５１】
図４に示されるように、画像３３は、３つの通信モジュール１０１Ａ等の受信強度を、ひとまとまりの図形として示す画像である。ひとまとまりの図形とは、当該図形を人間が視認した場合に１つのまとまった図形と認識し得る図形をいい、例えば隣接する図形とある程度の隙間を隔てている図形をいう。
【００５２】
画像３３に含まれている、並んでいる６本のバーを含む画像３３Ａは、通信モジュールの通信速度の目安を示している。なお、バーは、上記の図形に相当する。なお、図４に示されている矩形のバーの代わりに任意の図形を使用することも可能である。具体的には、任意の多角形又は円形の図形を使用してもよい。
【００５３】
また、各バーは、３つの通信モジュールそれぞれと対応づけられている。具体的には、各バーは、左から右に向かって、通信モジュールの通信速度が遅い方から順に対応付けられている。
【００５４】
例えば、左から１番目と２番目とのバーは、ノンキャリア系ＬＰＷＡに対応付けられている。また、左から３番目と４番目とのバーは、キャリア系ＬＰＷＡに対応付けられている。左から５番目と６番目とのバーは、Ｗｉ−Ｆｉに対応付けられている。
【００５５】
これにより、機器１０は、ノンキャリア系ＬＰＷＡ、キャリア系ＬＰＷＡ、及び、Ｗｉ−Ｆｉの通信速度がこの順で大きくなることを示すことができる。より具体的には、Ｗｉ−Ｆｉ接続を行えば速い通信速度が得られ、これにより、ユーザが機器１０を快適に使えることを示すことができる。
【００５６】
また、各バーの近傍には、各通信モジュールに関する文字を含む画像３３Ｂが示されている。機器１０は、画像３３Ｂによってさまざまな事柄を表現できる。
【００５７】
例えば、機器１０は、画像３３Ｂにおいて、機器１０の通信に現在使用されている通信モジュールがどれであるかを表現できる。具体的には、機器１０は、各通信モジュールに関する文字として、各通信モジュールの通信方式を示す文字を使用し得る。この場合、現在使用されている通信モジュールに関する文字が、その他の通信モジュールに関する文字と異なる態様で表示される。
【００５８】
より具体的には、現在の通信速度を実現している通信モジュール、つまり、機器１０による通信に使用している通信モジュールの通信方式に関する文字を比較的濃い色で示し、使用していない通信モジュールに関する文字を比較的薄い色（例えば白抜き又は薄消しなど）で表示する。これにより、機器１０が現在使用している通信方式（例えば、Ｗｉ−Ｆｉ又はキャリア系ＬＰＷＡなど）としてどれが選択されているかを表現できる。
【００５９】
以降、図５〜図８を参照しながら、画像３３についてさらに詳しく説明する。図５、図７及び図８に示される画像３３は、生成部１０５が生成し、また、表示部１０６が表示する画像の一例であり、３つの通信モジュール１０１Ａ等それぞれの受信強度を示す画像である。
【００６０】
図５及び図６は、それぞれ、本実施の形態に係る機器１０が表示する、受信強度を示す画像の第二例及び第三例を示す説明図である。図６は、図５における表示領域４５及び４６だけを抜き出して示した図である。
【００６１】
図５は、第一種の図形に相当する５本のバー５１、５２、５３、５４及び５５と、第二種の図形に相当する１本のバー５６Ａとを含む画像３３を示している。図５において、バー５１等が表示されている位置を含む領域が、それぞれ、表示領域４１、４２、４３、４４、４５及び４６として示されている。また、図５において、基準位置ａと、一の向きｂとが示されている。なお、基準位置ａと、一の向きｂとは、実際に画像として表現されていてもよいし、表現されていなくてもよい。
【００６２】
また、６本のバーそれぞれの寸法は、予め定められており、左から右へ進むほど、寸法がより大きい。このとき、右方向（右向き）が「一の向き」に相当する。機器１０は、表示領域４１等のそれぞれと、当該表示領域に表示するバーの寸法を予め対応づけて保有している。生成部１０５は、画像３３に含まれるバーのそれぞれが、当該バーに予め対応付けられた寸法を有するような画像３３を生成する。
【００６３】
例えば、機器１０のＷｉ−Ｆｉの通信モジュール１０１Ａが、Ｗｉ−Ｆｉ基地局に繋がっている場合には、図５に示されるように、左から５番目と６番目とのバー（バー５５と５６Ａ）で、Ｗｉ−Ｆｉの電波状態つまり受信強度を提示する（図６参照）。電波状態が比較的悪いとき、つまり受信強度が比較的大きいときは、図６の（ａ）に示されるように、表示領域４５及び４６に第二種の図形であるバー５５Ａ及び５６Ａが表示される。電波状態が比較的良いとき、つまり受信強度が比較的小さいときは、図６の（ｂ）に示されるように、表示領域４５及び４６に第一種の図形であるバー５５及び５６が表示される。そして、電波状態が中程度であるときは、図５に示されるように、表示領域４５に第一種の図形であるバー５５が表示され、表示領域４６に第二種の図形であるバー５６Ａが表示される。
【００６４】
また、このとき、キャリア系ＬＰＷＡと、ノンキャリア系ＬＰＷＡとの接続状態に関わらず、左から１番目から４番目までのバー（バー５１〜５４）は、第一種の図形であり、具体的には塗りつぶされた図形が示されている。
【００６５】
また、このとき、現在通信に使用しているＷｉ−Ｆｉの通信モジュールを示す文字６３が比較的濃い色で表示され、キャリア系ＬＰＷＡ及びノンキャリア系ＬＰＷＡの各通信モジュールを示す文字６１及び６２が比較的薄い色で表示されている。これにより、機器１０が現在使用している通信方式としてＷｉ−Ｆｉが選択されていることが示されている。
【００６６】
図７は、第一種の図形に相当する３本のバー５１、５２及び５３と、第二種の図形に相当する３本のバー５４Ａ、５５Ａ及び５６Ａとを含む画像３３を示している。
【００６７】
例えば、機器１０のキャリア系ＬＰＷＡの通信モジュール１０１Ｂが、キャリア系ＬＰＷＡ基地局に繋がっている場合には、図７に示されるように、左から３番目と４番目とのバー（バー５３と５４Ａ）で、キャリア系ＬＰＷＡの電波状態を提示する。電波状態の提示の仕方は、図６と同様である。このとき、ノンキャリア系ＬＰＷＡの接続状態に関わらず、左から１番目と２番目とのバー（バー５１と５２）は、第一種の図形であり、具体的には塗りつぶされた図形が示されている。また、左から５番目と６番目とのバー（バー５５Ａと５６Ａ）は、第二種の図形であり、具体的には破線で表現された図形が示されている。
【００６８】
また、このとき、現在通信に使用しているキャリア系ＬＰＷＡの通信モジュールを示す文字６２が比較的濃い色で表示され、Ｗｉ−Ｆｉ及びノンキャリア系ＬＰＷＡの各通信モジュールを示す文字６１及び６３が比較的薄い色で表示されている。これにより、機器１０が現在使用している通信方式としてキャリア系ＬＰＷＡが選択されていることが示されている。
【００６９】
図８は、第一種の図形に相当する１本のバー５１と、第二種の図形に相当する５本のバー５２Ａ、５３Ａ、５４Ａ、５５Ａ及び５６Ａとを含む画像３３を示している。
【００７０】
例えば、図８に示されるように、ノンキャリア系ＬＰＷＡしか繋がっていないケースでは左から１番目と２番目とのバー（バー５１と５２Ａ）で、ノンキャリア系ＬＰＷＡの電波状態を提示する。電波状態の提示の仕方は、図６と同様である。このとき、キャリア系ＬＰＷＡと、Ｗｉ−Ｆｉとの接続状態に関わらず、左から３番目から６番目までのバー（バー５３Ａ〜５６Ａ）は、第二種の図形であり、具体的には破線で表現された図形が示されている。
【００７１】
また、このとき、現在通信に使用しているノンキャリア系ＬＰＷＡの通信モジュールを示す文字６１が比較的濃い色で表示され、キャリア系ＬＰＷＡ及びＷｉ−Ｆｉの各通信モジュールを示す文字６２及び６３が比較的薄い色で表示されている。これにより、機器１０が現在使用している通信方式としてノンキャリア系ＬＰＷＡが選択されていることが示されている。
【００７２】
このような表示とすることにより、例えば、ノンキャリア系ＬＰＷＡ、またはキャリア系ＬＰＷＡで繋がっていて、ユーザが何らかの操作を行った時にレスポンスが悪いと実感した時に、Ｗｉ−Ｆｉへ移行することで通信速度が速くなることを知らしめることができる。
【００７３】
図９は、比較例に係る機器が表示する、受信強度を示す画像７０を示す説明図である。
【００７４】
図９に示される画像７０は、図４から図８に示されるひとまとまりの図形を示す画像ではなく、各通信モジュールの受信強度を示す画像を並べて表示する例である。
【００７５】
図９に示されるように、キャリア系ＬＰＷＡの受信強度を示す画像７１、ノンキャリア系ＬＰＷＡの受信強度を示す画像７２、及び、Ｗｉ−Ｆｉの受信強度を示す画像７３を並べた画像７０が表示された場合、一般のユーザに、期待される通信速度が分かりづらい。
【００７６】
例えば、図９ではノンキャリア系ＬＰＷＡの電波状況が非常に良い。そのため、それぞれの通信方式の特徴を知らないユーザからすると、ノンキャリア系ＬＰＷＡを使って、高速通信が可能、つまりＩｏＴ家電のすべての機能が快適に使えるように誤解しかねない。
【００７７】
言い換えれば、ユーザにとって、一見、Ｗｉ−Ｆｉの通信強度が一番遅いように見え、また、ノンキャリア系ＬＰＷＡの通信速度が速いように見えてしまう。このように、どの通信モジュールの通信速度が速いのか、ユーザに分かりづらい。
【００７８】
これに対して、本実施の形態に係る機器１０が表示する画像（図４から図８参照）では、ユーザが、各通信方式で期待される通信速度を直感的に理解しながら、使用中の通信方式の受信強度を知ることができる。このようにして、機器１０は、複数の無線通信モジュールのうちの通信に適切な無線通信モジュールを表示し得る。
【００７９】
図１０は、本実施の形態に係る機器１０が実行する処理を示すフロー図である。
【００８０】
図１０に示されるように、ステップＳ１０１（選択ステップ）において、機器１０は、Ｎ個の通信モジュールのうち機器１０による通信に使用される一の通信モジュールを選択する。
【００８１】
ステップＳ１０２（取得ステップ）において、機器１０は、上記一の通信モジュールが基地局から受信する電波の受信強度を取得する。
【００８２】
ステップＳ１０３（生成ステップ）において、機器１０は、基準位置から一の向きに並んでいる少なくとも２Ｎ個の表示領域であって、上記少なくとも２Ｎ個の表示領域のうちの上記基準位置から上記一の向きに数えて少なくとも２個ずつの表示領域が、Ｎ個の通信モジュールに、通信速度が遅い方から順に対応付けられている表示領域を有する画像を生成する。また、機器１０は、上記画像として、（ａ）上記一の通信モジュールに対応付けられた少なくとも２個の表示領域のうち、上記一の通信モジュールの受信強度が大きいほど、上記基準位置に近い方から上記一の向きに数えてより多くの表示領域に図形が表示されていて、（ｂ）上記一の通信モジュールより通信速度が遅い通信モジュールに対応付けられた少なくとも２個の表示領域それぞれに図形が表示されている、画像を生成する。
【００８３】
ステップＳ１０４（表示ステップ）において、機器１０は、生成ステップで生成した画像を表示する。
【００８４】
これにより、機器１０は、複数の無線通信モジュールのうちの通信に適切な無線通信モジュールを表示し得る。
【００８５】
以上のように、本開示における技術の例示として、実施の形態を説明した。そのために、添付図面および詳細な説明を提供した。
【００８６】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８７】
また、上述の実施の形態は、本開示における技術を例示するためのものであるから、請求の範囲またはその均等の範囲において種々の変更、置き換え、付加、省略などを行うことができる。
【産業上の利用可能性】
【００８８】
本開示は、複数の通信モジュールを備える機器に適用可能である。具体的には、冷蔵庫などの家電機器、又は、通信機器などに、本開示は適用可能である。
【符号の説明】
【００８９】
１０    機器
２０    サーバ
３０、３１、３２、３３、３３Ａ、３３Ｂ、３４、７０、７１、７２、７３    画像
４１、４２、４３、４４、４５、４６    表示領域
５１、５２、５２Ａ、５３、５３Ａ、５４、５４Ａ、５５、５５Ａ、５６、５６Ａ    バー
６１、６２、６３    文字
１０１、１０１Ａ、１０１Ｂ、１０１Ｃ    通信モジュール
１０２    制御部
１０３    選択部
１０４    取得部
１０５    生成部
１０６    表示部
１０７    機能部
ａ    基準位置
ｂ    一の向き
Ｍ    ネットワーク
【図１】
2019172045.tif 000003
【図２】
2019172045.tif 000004
【図３】
2019172045.tif 000005
【図４】
2019172045.tif 000006
【図５】
2019172045.tif 000007
【図６】
2019172045.tif 000008
【図７】
2019172045.tif 000009
【図８】
2019172045.tif 000010
【図９】
2019172045.tif 000011
【図１０】
2019172045.tif 000012
【国際調査報告】
2019172045.tif 000013
2019172045.tif 000014
2019172045.tif 000015